(57)【要約】【課題】被包装物を包装した際にその包装の開封を簡単した包装用シート材の製法を提供すること。【解決手段】本発明の包装用シート材の製法は、シート材を供給する工程と、供給されたシート材の表面に引張片を所定間隔毎に貼着する工程と、前記引張片の表面から前記シート材に至る切込みを入れる工程と、を備える。この引張片は、周縁の少なくとも一部に非接着部を有し、また引張片は、その表面に非接着部の位置を示すマークが付設する。【選択図】　図１
2004106876.tif 000002
【特許請求の範囲】
【請求項１】
シート材を供給する工程と、
供給されたシート材の表面に引張片を所定間隔毎に貼着する工程と、
前記引張片の表面から前記シート材に至る切込みを入れる工程と、
を備えたことを特徴とする包装用シート材の製造方法。
【請求項２】
前記引張片は、周縁の少なくとも一部に非接着部を有することを特徴とする請求項１記載の包装用シート材の製造方法。
【請求項３】
前記引張片は、その表面に非接着部の位置を示すマークが付設されていることを特徴とする請求項２記載のシート材の製造方法。
【請求項４】
前記引張片は、前記切込み部が封止されていることを特徴とする請求項１〜３の何れかに記載の包装用シート材の製造方法。
【請求項５】
請求項１〜４の何れかに記載の製法により作られた包装用シート材を所定長さに切断して形成したことを特徴とする包装用シート。
【請求項６】
請求項１〜４の何れかに記載の製法により作られた包装用シート材を加工して作製したことを特徴とする包装体。
【発明の詳細な説明】
【０００１】
【発明の属する技術分野】
本発明は、包装用シート材の製法及びこの製法により作られた包装用シート並びにこのシート材を加工して作製した包装体に係り、詳しくは被包装物を包装した際にその包装の開封を簡単になし得る包装用シート材の製法及びこの製法により作られたシート並びにこのシート材を加工して作製した包装用袋等の包装体に関する。
【０００２】
【従来の技術】
スーパーマーケット、コンビニエンスストア、惣菜店或いは弁当店などで取り扱われている各種食料品の包装形態は様々であるが、これらの各種食料品はプラスチック製トレイなどの容器に入れて周囲をラップフィルムで包装された形で陳列、販売されているものが多い。また、ラップフィルム以外の被覆フィルムを用いて包装された商品も多く出回っている。例えば、カセットテープ、ビデオテープ、ＭＤ、ＣＤなども被覆フィルムによって包装され陳列、販売されている。
【０００３】
更にパック入りジュースなどは、１２〜２０本程度の本数を一纏めにして、パックの下半分が収納される程度の浅い蓋無し段ボール箱に詰め込み、これらのパック入りジュース及び段ボール箱全体をシュリンクフィルムで包装した状態で出荷されている。このシュリンクフィルムは輸送中の衝撃などによって破損、亀裂が生ずることがないように、高い強度を有する材料、例えばポリプロピレン、ポリエチレン或いは塩化ビニルなどの素材を使用して作られている。
【０００４】
包装された包装品は、開封する際に、例えばラップフィルムで包装された物品では、ラップフィルム辺縁同士の重ね合わせ部分を探って、ラップフィルムの辺縁部分を見つけ出し、この部分を手指で摘んで剥がすことによってラップフィルムを剥離している。また、ラップフィルムの辺縁部分が見つけ難いときは、刃物などを用いてラップフィルムの一部に切れ目を入れ、この切れ目部分を広げることによってラップフィルムを切り開いている。
【０００５】
また、パック入りジュースなどの包装を開封する場合は、左右の指先で引っ張る程度の力でシュリンクフィルムを引き裂くことは無理であるため、カッタナイフなどを用いてシュリンクフィルム上面を切り裂いて開封している。しかし、このシュリンクフィルムの切断作業中にカッタナイフの刃先で誤ってパックを切り裂いてしまったり、或いは包装された品物に触れ、包装品に傷を付けたりしまうことがあった。
【０００６】
かかる不具合を解消するために本出願人は、刃物などを使うことなく、簡単に開封可能な被覆フィルム開封構造を下記特許文献１に開示している。図１０は、この被覆フィルム開封構造を示しており、プラスチック製トレイ１０に入れられた被包装物１１は、被覆フィルムの一種であるラップフィルム１２によって被覆され、ラップフィルム１２表面の一部に、略四辺形の引張片１３が貼着され、この引張片１３及びラップフィルム１２を共に貫通する貫通部としてピンホール１３ａ、１２ａが形成されている。引張片１３周縁の一部には、ラップフィルム１２に接着しない非貼着部１３ｂが形成され、引張片１３の表面には非貼着部１３ｂの位置を示すマーク１３ｃが描かれている。
【０００７】
ラップフィルム包装物品１５を開封する場合は、図１１（ａ）に示すように、マーク１３ｃで示された引張片１３の非貼着部１３ｂを手指で摘んでラップフィルム１２から引き剥がしていく。引張片１３がピンホール１３ａ、１２ａの位置を剥がされていくとき、ピンホール１２ａがラップフィルム１２の切れ目発生源となり、図１１（ｂ）に示すように、ピンホール１２ａ周囲のラップフィルム１２の一部が引張片１３に貼着された状態で引っ張られていく。
【０００８】
このようにして、ラップフィルム１２は引張片１３の引っ張り動作に伴ってある幅をもって切り裂かれていき、ラップフィルム１２を切り開くことができる。したがって、刃物などを使ったり、手指の爪を立ててラップフィルムに切れ目を入れたり、両手でラップフィルムを強引に引っ張ったりすることなく、ラップフィルム包装物品１５を簡単に開封することができる。
【特許文献１】
特開２００１−３２２６１４号公報
【０００９】
【発明が解決しようとする課題】
この開封構造によれば、プラスチック製トレイ１０に入れた被包装物１１をラップフィルム１２で被覆し、ラップフィルム１２表面上の適切な位置に引張片１３を貼着した後、先の尖った工具を用いて、引張片１３及びラップフィルム１２を貫通するピンホール１３ａ、１２ａを穿孔するだけで開封構造を形成できるので、極めて簡単である。
【００１０】
しかし、被包装物１１をラップフィルム１２で被覆し、ラップフィルム１２表面上の適切な位置に引張片１３を貼着した後、先の尖った工具を用いて、引張片１３及びラップフィルム１２にピンホール１３ａ、１２ａを穿孔しているので、穿孔の際にこの工具の先端が被包装物１１まで到達し、被包装物１１を損傷してしまうことがある。一方、被包装物１１を損傷しないように工具を引張片１３及びラップフィルム１２の積層体に突き刺して所定大きさのピンホールを形成することは極めて困難であった。
【００１１】
そこで、本発明は、かかる課題を解決するためになされたものであって、本発明の目的は、被包装物を包装した際にその包装の開封を簡単した包装用シート材の製法を提供することにある。
【００１２】
また本発明の他の目的は、この製法によって作られた包装用シートを提供することにある。
【００１３】
更に本発明の他の目的は、同様にこの製法によって作られた包装用シート材を加工して作製された包装用袋等の包装体を提供することにある。
【００１４】
【課題を解決するための手段】
前記発明の目的は、以下の手段によって達成できる。すなわち本発明の包装用シート材の製造方法は、シート材を供給する工程と、供給されたシート材の表面に引張片を所定間隔毎に貼着する工程と、前記引張片の表面から前記シート材に至る切込みを入れる工程と、を備えたことを特徴とする。
【００１５】
前記構成要素において、前記引張片は、周縁の少なくとも一部に非接着部を有することが好ましい。また前記引張片は、その表面に非接着部の位置を示すマークが付設されていることが好ましい。
【００１６】
この製法によると、包装用シート材に引張片が貼付され、この貼付された部分に予め切込み部が形成されるので、このシート材を使用して被包装物をラップしても、被包装物を損傷することがない。
【００１７】
また、前記引張片は、前記切込み部が封止されていることが好ましい。切込み部を塞ぐことにより、被包装品を包装した場合、この切込み部から水、細菌等が浸入することがなくなる。
【００１８】
また本発明の包装用シートは、前記の製法により作られた包装用シート材を所定長さに切断して形成したことを特徴とする。
【００１９】
更に本発明の包装体は、前記の製法により作られた包装用シート材を加工して作製したことを特徴とする。
【００２０】
本発明の包装用シート及び包装体は、予め開封構造が形成されているので、被包装物を包装する際に被包装物を損傷することがない。
【００２１】
【発明の実施の形態】
以下、本発明の好ましい実施形態を図面を参照して説明する。なお、本発明は、図面に記載された形態に限定されることなく、特許請求の範囲に記載された範囲で種々の変更が可能であり、それらも本発明の範囲に包含されることは言うまでもない。
【００２２】
図１は、本発明の第１実施形態の包装用シート材の製法を示し、同図（Ａ）は要部工程の概略説明図、同図（Ｂ）は図１の要部工程における素材を模擬的に示した説明図である。図２は、図１の製法工程に供給される素材及び完成した包装用シート材を示した平面図である。
【００２３】
シート材３１は、図２（Ａ）に示すように所定の厚さ、幅及び長さを有するプラスチックフィルムからなる。このシート材の仕様、すなわちフィルム材料、その厚さ、幅及び長さは、このシート材を用いて形成される最終製品に合わせて選定される。用途が、例えば食品等を包装するラップフィルムである場合は、既に市販され、家庭で使用されているサイズに、またカセットテープ、ビデオテープ、ＭＤ、ＣＤ、パック入りジュース及び段ボール箱全体を包装するシュリンクフィルムである場合は、それぞれの被包装品の大きさに応じて、サイズ、厚さ等が決められる。
【００２４】
また、このシート材の素材は、プラスチックフィルム、例えばＯＰＰ、ＣＰＰ、ＨＤＰＥ、ＬＤＰＥ、ＬＬＤＰＥ、その他特殊プラスチックフィルム、また各種ラミネートフィルム等が使用される。
【００２５】
また、引張シート材４１は、所定長さで切断して包装用シート材３１の表面に所定間隔毎に貼付されるもので、図２（Ｂ）に示すように包装用シート材３１の幅より狭い幅長のシート材であって、プラスチックフィルム、紙片等からなる。プラスチックフィルムを使用する場合は、透明、半透明或いは不透明の何れでもよい。
【００２６】
この引張シート材４１は、長手方向に所定間隔毎に区分され、この部分は、後にこの部分から切断されて引張片４１Ａ〜４１Ｘを形成するものである。各引張片４１Ａ〜４１Ｘは、その裏面に他のフィルムと接着しない非接着部４１ａと接着剤４２が塗布された接着部４１ａ’とを有し、非接着部４１ａ〜４１ｘと接着部４１ａ’〜４１ｘ’とが交互に連続してシート材４１上に配列されている。また、引張シート材４１は、その表面に非接着部の位置を示すマークが印刷されている。
【００２７】
図１、２を参照して、第１実施形態の包装用シート材の製法を説明する。引張片貼付工程５０には、シート材供給工程３０からシート材３１が、シート材供給工程４０から引張シート材４１がそれぞれ供給される。供給された引張シート材４１は、引張片貼付工程５０において接着部の終端部で切断されて包装用シート材３１の表面に貼付される。接着部のシート材への貼付と粘着部最終端の切断は、順次連続して行われる。引張片の包装用シート材３１への貼付場所は、引張片貼付シート材の用途に応じて任意に選択され、被包装物が包装された際にこの包装材が開封し易い場所に貼付される。図３には、引張片４１Ａが貼付された部分が拡大して示されている。
【００２８】
次いで、切込み工程６０において、引張片の表面及び包装用シート材を貫通する貫通孔或いは所定形状の切込みが形成される。この切込み形状は、任意のものでよい。この形状は、例えば図４（ａ）〜（ｅ）に示しているように、円弧状、刺股形状、三角形状、曲線と直線とを組み合わせた形状、或いは直線を十文字に交差させたクロス状の何れでもよい。そして、この切込みは、シート材の材質、厚さ、強度、亀裂方向性等或いは被包装物の種類や用途に適した開封作業性を考慮して、最適な切込み形状が選択される。
【００２９】
切込みが入れられたシート材は、図２（Ｃ）に示すようにシート材３１の表面に所定間隔毎に引張片４１Ａ〜４１Ｘが貼付されたものとなる。このシート材は製品工程７０において、所定の長さに切断され包装用シート７１ａとなる。なお、図２（Ｂ）に示した引張片は、シート材の長手方向に順次非接着部及び接着部の配列となっているが、接着部の最終端で切断して包装用シート材に貼付される際には、長手方向、或いはこの長手方向と直交する方向、更には、斜め方向に貼付してもよい。この貼付方向は、何れも引張片貼付シート材の用途によって選択される。
【００３０】
前記の包装用シート材は、切込み部でシート材の表裏面に微小な間隙が開いているので、被包装品、例えば食品等を包装した場合、この微小な間隙から水、細菌等が浸入し、食品等を腐らせてしまうことがある。図５は、この点を改良して切込み部の間隙を塞いだ包装用シート材の製造方法を示している。
【００３１】
この包装用シート材の製造方法で図１の製法と異なる点は、切込み部を塞ぐために引張片の表面に封止材を貼付したことにある。この封止材は、引張シート材より若干幅の狭い封止シート材６６であって、引張シート材４１と同じ材料のフィルムからなるものが用いられる。この封止シート材６６には、図６（Ｃ）に示すように、裏面に接着剤６６ａ〜６６ｘが所定間隔毎或いは連続して塗布されている。
【００３２】
封止工程６７には、封止材供給工程６５から封止シート材６６が供給される。供給された封止シート材６６は、この封止材供給工程６７で所定長に切断され、それぞれの封止材６６Ａ〜６６Ｘは引張片に形成された切込み部に貼付され、切込み部の隙間を封止する。７１ｂは、この製法により作られたシート材を示している。他の工程は、図１の製法と同じなので、説明を省略する。なお、図７は引張片及び封止材が貼付された部分を拡大して示した図である。
【００３３】
この製法では、引張片に封止材を貼付するようにしたが、封止材を使用することなく、引張片に形成された切込み部に熱等を加えて溶着することにより封止してもよい。
【００３４】
前記の製法で製造された包装用シート材を用いて、種々の包装用シート或いは包装体を作製する。図８は、図１及び図５の製造工程により製造された包装用シートの一例を示している。この包装用シートは、使用する最終製品に合わせて選定される。用途が、例えば食品等を包装するラップフィルムである場合は、既に市販され、家庭で使用されているサイズに、またカセットテープ、ビデオテープ、ＭＤ、ＣＤ、パック入りジュース及び段ボール箱全体を包装するシュリンクフィルムである場合は、それぞれの被包装品の大きさに応じて、所定サイズ、厚さのものが選定される。
【００３５】
図９は、包装用シート材を用いて作製された袋体を例示した平面図である。図９では、異なるタイプの袋体、同図（Ａ）の袋体８０は、袋体口が閉鎖されたもの、同図（Ｂ）の袋体８１は、袋体の端部にピン等に吊下げが出来る開孔を有するものであって、何れも袋体口の近くに引張片４１Ａが貼付されている。なお袋体等の製法及び製造装置は、既に公知であるので説明を省略する。
【００３６】
前記の包装用シート及び包装体の開封方法は、図１０及び図１１に示した開封方法と同じである。すなわち、引張片の非貼着部を手指で摘んで図面の矢線方向へ引っ張り、包装用フィルムから引き剥がしていく。引張片が切込み部の位置から剥離するとき、切込み部がそれぞれ包装用フィルムの切れ目発生源となり、切込み部周囲の包装用フィルムの一部が引張片に貼着された状態で引っ張られていく。このようにして、包装用フィルムは引張片の引っ張り動作に伴って、ある幅をもって切り裂かれていき、包装用フィルムを容易に切り開くことができる。
【００３７】
【発明の効果】
以上説明したように、本発明によれば、包装用シート材に引張片が貼付され、この貼付された部分に予め切込み部が形成されるので、このシート材を使用して被包装物をラップしても、被包装物を損傷することがない。また、本発明の別の実施形態では、切込み部が塞がれているので、被包装品を包装した場合にこの切込み部から水、細菌等が浸入することがなくなる。
【００３８】
更に、本発明の包装用シート及び包装体には、予め開封構造が形成されているので、被包装物を包装する際に被包装物を損傷することがない。
【図面の簡単な説明】
【図１】本発明の第１実施形態の包装用シート材の製法を示し、同図（Ａ）は要部工程の概略説明図、同図（Ｂ）要部工程における素材を模擬的に示した説明図である。
【図２】図１の製法工程に供給される素材及び完成した包装用シート材を示した図であり、（Ａ）はシート材、（Ｂ）は引張シート材、（Ｃ）は引張片が添付されたシート材を示す。
【図３】図２（Ｃ）の一部拡大図である。
【図４】図１の切込み部の他の実施形態を示す平面図である。
【図５】本発明の第２実施形態の包装用シート材の製法を示し、同図（Ａ）は要部工程の概略説明図、同図（Ｂ）要部工程における素材を模擬的に示した説明図である。
【図６】図５の製法工程に供給される素材及び完成した包装用シート材を示した図であり、（Ａ）はシート材、（Ｂ）は引張シート材、（Ｃ）は封止シート材、（Ｄ）は引張片及び封止材が添付されたシート材を示す。
【図７】図６（Ｄ）の一部拡大図である。
【図８】本発明の第１、２実施形態の製法で製造された包装用シート材を用いて作製された包装用シート材を示した外観斜視図である。
【図９】本発明の第１、２実施形態の製法で製造された包装用シート材を用いて作製された袋体を例示した平面図である。
【図１０】従来技術の開封構造を示す平面図である。
【図１１】図１０のラップフィルム包装品を開封する途中の状態を示す図である。
【符号の説明】
３１　　シート材
４１Ａ〜４１Ｘ　　引張片
４１ａ〜４１ｘ　　非接着部
４１ａ’〜４１ｘ’　接着部
４２　　接着材
４３　　切込み部
６６Ａ〜６６Ｘ　　封止材
【図１】
2004106876.tif 000003
【図２】
2004106876.tif 000004
【図３】
2004106876.tif 000005
【図４】
2004106876.tif 000006
【図５】
2004106876.tif 000007
【図６】
2004106876.tif 000008
【図７】
2004106876.tif 000009
【図８】
2004106876.tif 000010
【図９】
2004106876.tif 000011
【図１０】
2004106876.tif 000012
【図１１】
2004106876.tif 000013